(57)【要約】【課題】ウェイト部の荷重を銜持部に対する負荷として効果的に作用させることができて、顔面筋に対して鍛錬効果を得ることができる顔面筋鍛錬具用のマウスピースを提供する。【解決手段】左右のアーム３１の端部にウェイト部２５が設けられる。両アーム３１間には口唇によって銜えられる銜持部２４が設けられる。両アーム３１の静止状態における下方への撓み率が４．８パーセント超に設定される。【選択図】図１
2015221191.tif 000002
【特許請求の範囲】
【請求項１】
弾性変形部と、
その弾性変形部の長さ方向の中間位置に設けられ、口唇によって銜えられる銜持部とを備えた顔面筋鍛錬具において、
前記弾性変形部の静止状態における下方への撓み率が４．８パーセント超である顔面筋鍛錬具。
【発明の詳細な説明】
【技術分野】
【０００１】
本発明は、人体の顔面における口輪筋等の顔面筋を鍛錬することに用いられる顔面筋鍛錬具に関するものである。
【背景技術】
【０００２】
従来、この種の顔面筋鍛錬具としては、例えば特許文献１に開示されるような構成が提案されている。この従来構成においては、帯状の弾性板の中央部の表裏両面に、口唇によって銜えられる銜持部が設けられている。弾性板の両端部には、それぞれウェイトが固定されている。そして、この顔面筋鍛錬具の銜持部を口唇により銜えた状態で、全体を上下に振る。このようにすると、両ウェイト部の重量に基づく弾性板の反発力が銜持部に伝達されて、顔面筋が鍛えられるとしている。
【先行技術文献】
【特許文献】
【０００３】
【特許文献１】意匠登録第１２２３２８９号公報
【発明の概要】
【発明が解決しようとする課題】
【０００４】
ところが、特許文献１には、顔面筋鍛錬具の全体の形状は開示されているものの、顔面筋を適切に鍛錬するために顔面筋鍛錬具が具有すべき属性については記載されていない。従って、この従来の顔面筋鍛錬具においては、有効な鍛錬機能を得ることができない可能性がある。
【０００５】
本発明は、有効な鍛錬効果を発揮できる顔面筋鍛錬具を提供することにある。
【課題を解決するための手段】
【０００６】
本発明の顔面筋鍛錬具は、弾性変形部と、その弾性変形部の長さ方向の中間位置に設けられ、口唇によって銜えられる銜持部とを備えた顔面筋鍛錬具において、前記アームの静止状態における下方への撓み率が４．８パーセント超であることを特徴とした。
【０００７】
このように構成した場合は、弾性変形部が共振することによって生じる負荷が口唇に適切に伝えられて、顔面筋が有効に鍛錬される。
【発明の効果】
【０００８】
本発明によれば、有効な鍛錬効果を得ることができる。
【図面の簡単な説明】
【０００９】
【図１】顔面筋鍛錬具の使用状態を示す斜視図。
【図２】銜持部カバーが取り付けられた状態を示す顔面筋鍛錬具。
【図３】顔面筋鍛錬具の平面図。
【図４】顔面筋鍛錬具の正面図。
【図５】図３の５-５線断面図。
【図６】図５のブッシュ部分の成形型内における拡大断面図。
【図７】弾性板の平面図。
【図８】ブッシュを取り付けた状態の弾性板の平面図。
【図９】図４の９-９線断面図。
【図１０】マウスピースの斜視図。
【図１１】コアとマウスピースとの関係を示す分解断面図。
【図１２】マウスピースを図１１とは９０度異なる面において切断した断面図。
【図１３】図１１の１３-１３線断面図。
【図１４】ウェイト部を示す分解断面図。
【図１５】銜持部カバーの使用状態を示す断面図。
【図１６】銜持部カバーの断面図。
【図１７】銜持部カバーの開いた状態を示す斜視図。
【図１８】顔面筋鍛錬具の撓み変形を示す線図。
【図１９】顔面筋鍛錬具の他の実施形態を示す平面図。
【図２０】（ａ）は試料の弾性板の平面図、（ｂ）は試料に対する負荷試験状態を示す側面図。
【図２１】（ａ）（ｂ）はそれぞれ口角挙上検証条件を示す説明図。
【図２２】口角挙上検証結果を示すグラフ。
【図２３】（ａ）（ｂ）はそれぞれ頬部挙上検証条件を示す説明図。
【図２４】頬部挙上検証結果を示すグラフ。
【図２５】（ａ）（ｂ）はそれぞれフェイスライン引き締め検証条件を示す説明図。
【図２６】フェイスライン引き締め検証結果を示すグラフ。
【発明を実施するための形態】
【００１０】
以下に、実施形態を図面に従って説明する。
図１に示すように、この実施形態の顔面筋鍛錬具２１は、使用者の口唇で銜えられて、使用者が顔面筋鍛錬具２１を上下に揺動させることにより、使用者の口輪筋及びその口輪筋と繋がる頬筋，笑筋，大頬骨筋，小頬骨筋等の顔面筋が鍛錬されるようにしたものである。
【００１１】
図３，図４及び図８に示すように、顔面筋鍛錬具２１は、鋼板製の板バネよりなる直線帯板状の弾性板２２を備えている。図９及び図１１に示すように、弾性板２２の長さ方向の中央部にはポリプロピレン等の硬質樹脂よりなるコア２７が弾性板２２をインサートとした成形によって固定されている。コア２７には弾性板２２の一方の端縁から突出する突出部２７２が形成されている。コア２７の突出部２７２には中空状をなすマウスピース２８が着脱可能に取付けられ、この取付け状態のマウスピース２８により口唇によって銜えられる銜持部２４が形成されている。
【００１２】
図３，図６及び図８に示すように、弾性板２２の全体とコア２７の突出部２７２を除く部分とはポリウレタン等の合成樹脂よりなる被覆２３によってモールドされている。この被覆２３はコア２７より軟質のものによって構成されている。弾性板２２の両端部側にはそれぞれ一対の貫通孔２２２が形成されている。内側の貫通孔２２２は被覆２３の成形時に合成樹脂の進入を許容して、弾性板２２と被覆２３との結合を強化するために機能する。図５及び図６に示すように、外側の貫通孔２２２にはブッシュ２６が無理嵌めされ、弾性板２２の表裏両面から突出されている。ただし、ブッシュ２６は被覆２３の表面に露出しない高さに形成されている。弾性板２２の両端にはそれぞれ小孔２２４が透設されている。この小孔２２４も合成樹脂の進入を許容して、弾性板２２と被覆２３との結合を強化するために機能する。
【００１３】
そして、コア２７の左右両側における弾性板２２及び被覆２３により左右一対のアーム３１が形成されている。アーム３１において被覆２３の先端部には、それぞれウェイト部２５が設けられている。
【００１４】
そして、図１に示すように、銜持部２４を口唇によって銜えて顔面筋鍛錬具２１全体が上下に揺動されることにより、ウェイト部２５の荷重や弾性板２２の弾力性等に基づき、両アーム３１が揺動に共振して上下に振動される。ここで、共振とは、銜持部２４に所定範囲内の振動数の振動が加えられた際に、アーム３１が大きく振動することをいう。特に、アーム３１の端部が銜持部２４の高さより高い位置まで撓むことが好ましい。これによって、銜持部２４を銜えている使用者の顔面筋に負荷が作用して、顔面筋が鍛錬される。
【００１５】
図９〜図１３に示すように、前記コア２７の外周面には、前記マウスピース２８を掛止して保持するための凹凸部２７１が形成されている。マウスピース２８は、コア２７よりも軟質で滑りにくいポリウレタン等の軟質合成樹脂により形成されている。前記マウスピース２８の内周面には、コア２７の凹凸部２７１に係合可能な凹凸部２８１が形成されている。マウスピース２８の外周面の中央部の上下には、口唇によって銜えられる窪み部２８２が形成されている。図１３に示すように、この窪み部２８２の部分においてマウスピース２８の外周面は長径が左右方向に延びる楕円形に形成されている。従って、窪み部２８２の上下２位置の曲率は左右２位置の曲率より小さく、平坦であるため、銜えやすい。マウスピース２８の先端部の外周面には、凹部２８３が形成されている。マウスピース２８の先端面には、球面状の凸部２８４が形成されている。
【００１６】
マウスピース２８の基端にはアーム３１の表裏両側に位置する一対のフランジ２８５が形成されている。このフランジ２８５はマウスピース２８の他の部分より突出していて、図９に示すように、顔面筋鍛錬具２１をテーブル等の上面等の設置面１００に置いたときに、このフランジ２８５が前記設置面１００に接して、マウスピース２８が斜め上向きになる。従って、マウスピース２８の口唇によって銜えられる部分が設置面１００に接することを防止して、清潔さを保つことができる。
【００１７】
マウスピース２８は外形寸法等の異なった複数種が用意され、使用者はその口の大きさや形等に応じて適当なマウスピース２８を選択して、コア２７の外側に対して嵌着することができる。このマウスピース２８は、コア２７より軟質であって、その硬度は、例えば、ＪＩＳ（日本工業規格）  Ｋ６２５３に準拠したタイプＡによるデュロメータにおいて、６０度である。なお、ウェイト３０を除いた顔面筋鍛錬具２１の本体，すなわち、弾性板２２，被覆２３，コア２７及びマウスピース２８で構成される本体の重量は、５０〜５００グラム（ｇ）程度である。また、ウェイト３０の重量は、３〜１２０ｇ程度である。
【００１８】
図５及び図１４に示すように、前記被覆２３の両端位置には保持孔２９が形成されている。前記両ウェイト部２５は、この保持孔２９に着脱可能に取り付けられたウェイト３０により構成されている。そして、重量の異なる複数種のウェイト３０が用意され、使用者が要求する鍛錬度合い等に応じて任意の重さのウェイト３０が選択されて保持孔２９に着脱可能に取り付けられる。
【００１９】
この実施形態の顔面筋鍛錬具２１には顔面筋鍛錬具２１とともに顔面筋鍛錬具セットを構成するカバー５１が付属されている。
図２，図１５，図１６及び図１８に示すように、カバー５１は透明または半透明のポリプロピレン，ポリエチレン，ポリアミド樹脂等の合成樹脂によって構成され、中央の一体ヒンジ５２を介して一対の半割状のカバー片５３，５４が設けられている。カバー片５３，５４は一方が本体，他方が蓋体を構成するが、本実施形態では、図１５の下側のカバー片５３が本体、上側のカバー片５４が蓋体とする。両カバー片５３，５４はそれぞれ凹状に形成され、それらの間に収容空間５１１が形成されている。そして、顔面筋鍛錬具２１の銜持部２４及び被覆２３の中央部が収容空間５１１内に収容され、この部分がカバー５１によってカバーされる。一方のカバー片５３に掛止め爪５５が、他方のカバー片５４にはその掛止め爪５５が係合される受け部５６がそれぞれ形成され、カバー片５３，５４が閉じられたときに、掛止め爪５５と受け部５６との係合によりカバー５１が閉鎖状態に保持される。
【００２０】
両カバー片５３，５４の側壁には凹部５８が形成されている。そして、両カバー片５３，５４の閉鎖時に、両凹部５８は前記アーム３１との干渉を避けてそのアーム３１を通すための開口５９を構成し、この開口５９の縁部とアーム３１の外周面との間には間隙６０が形成される。なお、この開口５９にはエッジが形成されないように開口５９の縁部を断面円弧状に形成したり、アーム３１との接触面積が広くなるように縁部を厚く形成したり、あるいは縁部を厚くかつ断面円弧状に形成したりすることにより、アーム３１に傷や痕がつくことを防止できる。
【００２１】
次に、前記のように構成された顔面筋鍛錬具２１の使用方法を説明する。
この顔面筋鍛錬具２１は、図２に示すように、不使用時には顔面筋鍛錬具２１の中央部にカバー５１が取付けられて、銜持部２４が覆われている。従って、口唇で銜える部分である銜持部２４を清潔に維持することができる。また、カバー５１はマウスピース２８の外面にほぼ沿う形状になっているため、カバー５１の装着状態の顔面筋鍛錬具２１を専用のケースに収めて、顔面筋鍛錬具２１の携行や保管が可能となる。
【００２２】
顔面筋鍛錬具２１で顔面筋を鍛錬する場合には、カバー５１が取り外される。なお、顔面筋鍛錬具２１の使用者が要求する鍛錬度合い等に応じて、あらかじめコア２７に所要の外形寸法のマウスピース２８が取り付けられるとともに、両ウェイト部２５の保持孔２９に必要な重さのウェイト３０が取り付けられる。この状態で、銜持部２４の窪み部２８２を口唇に銜えて顔を上下に揺動させる。このようにすると、口唇に対して顔面筋鍛錬具２１の重量が作用した状態で板バネよりなる弾性板２２を介して両ウェイト部２５が上下に共振され、その振動が銜持部２４に伝達される。これによって、口唇を介して顔面筋に負荷が与えられ、その顔面筋が鍛えられる。
【００２３】
この場合、銜持部２４がアーム３１の側縁から突出して、その側縁から外側へ変位した位置に配置されている。このため、顔面筋鍛錬具２１が片持ち状態で口唇に銜えられることになって、口唇に対する荷重負担が大きくなる。従って、共振による負荷が顔面筋に対する負荷として効率よく作用して、顔面筋が効果的に鍛えられる。このとき、前記窪み部２８２が横長の断面楕円形に形成されているため、口が丸く開いた状態でマウスピース２８を保持することができる。口を丸く開いた状態でマウスピース２８を保持することにより、口輪筋全体に共振によって生じる負荷を伝えることができる。また、口輪筋には笑筋等の表情筋がつながっているため、口輪筋を介して笑筋等も鍛錬することができて、効率的な鍛錬が可能になる。
【００２４】
この実施形態の顔面筋鍛錬具２１は弾性板２２が合成樹脂の被覆２３によってモールドされているため、アーム３１が撓んで共振する際、鍛錬のために得ようとしているアーム３１の上下振動以外の動き、例えば弾性板２２のねじれや微振動を抑えることができる。従って、使用者の口唇に対して邪魔な動きが伝えられることを少なくできて、顔面筋鍛錬具２１を快適に使用できる。なお、弾性板２２の全体をモールドすることに代えて、表裏両面あるいは表裏の一方の面に合成樹脂の板やシートを接着等によって固着してもよい。
【００２５】
前記マウスピース２８は滑りにくく、適度な硬度のゴム性を有している。このため、銜えやすく、しかもアーム３１の振動による負荷を口唇に伝えることができる。マウスピース２８が硬すぎると、マウスピース２８が口唇に馴染まず、銜えにくい。逆に柔らかすぎると、銜えたとしても顔面筋鍛錬具２１を安定状態に維持し難く、しかもアーム３１の振動が吸収されて、鍛錬のための負荷が減少される。
【００２６】
この顔面筋鍛錬具２１を異なった使用者が使用する場合には、コア２７上のマウスピース２８を外形寸法等の異なった別のマウスピース２８に交換することにより、口の大きさや形が異なる使用者であっても、１つの顔面筋鍛錬具２１を共用することができる。
【００２７】
さらに、顔面筋の強さや鍛錬度合いに応じて、ウェイト部２５の保持孔２９内のウェイト３０を重さの異なった別のウェイト３０に交換することができる。
鍛錬終了後、マウスピース２８は必要に応じてコア２７から取り外されて、洗浄することができ、洗浄後のマウスピース２８は再びコア２７に取り付けられる。従って、マウスピース２８を清潔に保つことができて、衛生的である。その後、マウスピース２８を覆うように、カバー５１が鍛錬具２１に取り付けられる。
【００２８】
以上のように、マウスピース２８にカバー５１を被せることにより、鍛錬具２１を携行したり、保管したりする際においてマウスピース２８を清潔な状態に維持することができる。なお、コア２７から取外された単独のマウスピース２８をカバー５１に収容すれば、マウスピース２８を携行したり、保管したりする場合にマウスピース２８を清潔状態に保つことができる。
【００２９】
以下に、本実施形態の顔面筋鍛錬具２１の製造方法を説明する。
まず、図７に示す弾性板２２の中央部に弾性板２２をインサートとしてコア２７が射出成形される。
【００３０】
次いで、弾性板２２の両端側の一対の貫通孔２２２にブッシュ２６が無理嵌めされる。これによって、弾性板２２の表裏両面にブッシュ２６が突設される。
その後、図６に示すように、弾性板２２が成形型１０１内にセットされて、その型１０１内に被覆２３となる合成樹脂が射出される。このとき、合成樹脂の射出初期はその射出圧力が弾性板２２に対して均等に作用せず、同圧力が一時的に弾性板２２に対して不均一に作用する。このため、弾性板２２が湾曲して、その端縁のエッジ等によって成形型１０１のキャビティ１０２の成形面に擦過傷等がつくおそれがある。しかし、本実施形態においては、弾性板２２が湾曲した場合、ブッシュ２６がキャビティの成形面に当接して、弾性板２２が当接することは回避される。
【００３１】
従って、キャビティ１０２の成形面に傷がつくおそれを防止できる。キャビティ１０２内に合成樹脂が充填し終わった状態においては、射出圧力が弾性板２２全体に対して均等に作用するため、弾性板２２の湾曲がもとに戻って同弾性板２２はキャビティ１０２の中央部において直線状に延びる。従って、成形終了後、弾性板２２は成形された被覆２３内の定位置にモールドされる。
【００３２】
ところで、本実施形態の顔面筋鍛錬具２１においては、銜持部２４を口唇で銜えて上下に振ると、両側のアーム３１が撓みを伴いながら共振される。この場合、本実施形態では、銜持部２４が６．５０ヘルツ（Ｈｚ）未満の振動数で振動したとき、アーム３１が共振するように、アーム３１の長さ，ウェイト部２５の重量，弾性板２２を含むアーム３１の弾性係数やばね定数等が設定されている。このため、使用者は、口唇で銜えてアーム３１を共振させることができ、その負荷を利用して、有効な鍛錬を行なうことができる。これに対し、６．５０Ｈｚを超える振動数では、つまり、銜持部２４を小刻みに往復動させた場合は、アーム３１が共振されないため、撓まない剛体を振動させる状態と同様になって、口唇にアーム３１の共振によって生じる負荷が伝わらず、有効な鍛錬効果を得ることはできない。
【００３３】
また、本実施形態の顔面筋鍛錬具２１においては、アーム３１の静止状態における下方への撓み率、すなわち図１７に示すアーム３１の長さｂに対するアーム３１の先端の下方への撓み量ａが４．８パーセント（％）を超えるように設定されている。このため、銜持部２４を上下に振動させた場合において、アーム３１が適切に撓んで振動する。従って、使用者は有効な鍛錬効果を得ることができる。これに対し、撓み率が４．８％以下の場合、すなわち、アームの剛性が高く撓みにくい場合は、共振し難いため、有効な鍛錬効果を得ることが困難である。
【００３４】
さらに、本実施形態の顔面筋鍛錬具２１においては、アーム３１に共振が作用した時に銜持部２４に与えられる負荷が７．４ニュートン（Ｎ）未満となるように設定されている。このため、銜持部２４を上下に振ってアーム３１を共振させた際に使用者に対して適切な負荷が作用して有効な鍛錬効果を得ることができる。これに対し、負荷が７．４Ｎ以上の場合は、負荷が高すぎて、振ることが困難である。
【００３５】
以下に、実施形態の顔面筋鍛錬具２１の作用の検証結果を表１〜表６に基づいて説明する。この検証においては、図２０（ａ）に示す後述の多種の弾性板２２を用いた。弾性板２２の長さ方向の中間部には突出部２２３が形成されている。また、弾性板２２の両端には、後述の各種のウェイト（図示しない）がネジやクリップ等で着脱可能に取付けられる。
【００３６】
表１においては、厚さが０．６ミリメートル（ｍｍ），０．８ｍｍ，１．０ｍｍの３種類、長さが３００ｍｍ，４００ｍｍ，５００ｍｍ，６００ｍｍ，７００ｍｍ，８００ｍｍ，１０００ｍｍの７種類の弾性板２２、従って、合計２１種類の弾性板２２を用意した。そして、重さが６．０グラム（ｇ），１１．５ｇ，２３．５ｇ，４８．０ｇ，９２．０ｇの５種類のウェイトを用意して、それらを前記２１種類の弾性板２２の両端に取り付けて、１０５種類の試料１２０とした（図２０（ｂ）参照）。そして、同図２０（ｂ）に示すように、弾性板２２の突出部２２３を伊藤精機株式会社製の松平式振動試験機１０３により挟持して試料１２０に対して上下方向に振幅２０ｍｍの各種の振動を付与し、弾性板２２の左右両側のアームに最も大きな振幅が生じたときの１秒当たりの付与振動数を前記表１に記した。共振が生じたときの付与振動数の値は、前記振動試験機１０３の表示部（図示しない）の表示に従った。また、共振の有無は、目視に従った。
【００３７】
そして、前述した各種の試料１２０を前記振動試験機１０３から外し、弾性板２２の突出部２２３に前記銜持部２４と大きさ及び硬度が同等のマウスピース４１を取り付けて、その試料１２０を１０名の被験者によって体感試験を行ない、表２に示すようにその結果を４段階にランク付けした。その４段階は、６名以上の被験者が、共振させることができない（ランク４）、共振させにくい（ランク３）、共振させやすい（ランク２）、特に共振させやすい（ランク１）と感じた結果に従った。「共振させることができない」は、アーム３１を共振させることができない、「共振させにくい」は、共振させることができるが共振させることに習熟を要する、と感じたものを示す。なお、表１内の「測定不可」は、測定機器の測定範囲外であったため、共振する周波数が判明しなかったことを示す。従って、１秒当たりの振動数が１．１７以下でも弾性板２２のアームが共振されるものがあることを確認している。
【００３８】
【表１】
2015221191.tif 000003
【００３９】
【表２】
2015221191.tif 000004
表１及び表２から明らかなように、前記マウスピース４１が６．５０ヘルツ（Ｈｚ）未満の振動数で振動したときに、弾性板２２のアームが共振する試料１２０の場合に、使用者は共振させにくいものの、アームを共振させることができて、顔面筋の鍛錬に供することが可能である。マウスピース４１が５．００Ｈｚ未満の振動数で振動したときにアームが共振される試料１２０の場合に、使用者はアームを容易に共振させることができて、好ましい。マウスピース４１が３．５０Ｈｚ未満の振動数で振動したときに、アームが共振される試料１２０の場合に、使用者はアームをさらに容易に共振させることができて、特に好ましい。
【００４０】
そして、以上の条件下において、マウスピース４１が４．６７Ｈｚを超える振動数で振動したときにアームが共振される試料１２０の場合に使用者はアームを共振させにくいものの、共振させることができて、顔面筋の鍛錬に供することが可能である。マウスピース４１が３．３３Ｈｚを超える振動数で振動したときにアームが共振する試料１２０の場合に使用者はアームを容易に共振させることができて、顔面筋の鍛錬に供することが可能である。マウスピース４１が１．１７Ｈｚ以上の振動数でアームが共振する試料１２０の場合に前記アームが特に共振されやすく、特に好ましい。
【００４１】
１．１７Ｈｚ未満であっても、共振させることが可能であるが、アームが１秒当たりに振動する回数が少なく、運動効果が低いために好ましくない。前記マウスピース４１が６．３３Ｈｚ以下の振動数でアームが共振する試料１２０の場合に共振させにくいものの、使用者はアームを共振させることができて、顔面筋の鍛錬に供することが可能である。マウスピース４１が４．６７Ｈｚ〜３．５０Ｈｚの振動数で振動したときにアームが共振される試料１２０である場合が好ましい。マウスピース４１が３．３３Ｈｚ〜１．１７Ｈｚの振動数で振動したときにアームが共振される試料１２０である場合が特に好ましい。マウスピース４１が１．１７Ｈｚ〜３．４０Ｈｚの振動数で振動したときにアームが共振される試料１２０も好ましい。マウスピース４１が１．１７Ｈｚ〜４．８０Ｈｚの振動数で振動したときにアームが共振される試料１２０でもよい。マウスピース４１が１．１７Ｈｚ〜６．４０Ｈｚの振動数で振動したときにアームが共振される試料１２０でも鍛錬可能である。
【００４２】
さらに、他の観点から見れば、前記マウスピース４１が６．３３〜１．１７Ｈｚの範囲内の振動数で振動するときにアームが共振される試料１２０を鍛錬に用いることができ、銜持部２４が６．３３〜５．０Ｈｚの範囲内の振動数で振動した場合にアームが共振される。マウスピース４１が６．３３〜３．５０Ｈｚの範囲内の振動数で振動したときにアームが共振される試料１２０の場合も好ましい。マウスピース４１が４．６７〜１．１７Ｈｚの範囲内の振動数で振動したときにアームが共振される試料１２０の場合がさらに好ましい。
【００４３】
表３は、厚さが０．６ｍｍ，０．８ｍｍ，１．０ｍｍの３種類で、全長が４００ｍｍ，５００ｍｍ，６００ｍｍ，７００ｍｍ，８００ｍｍ，１０００ｍｍの６種類の合計１８種類の弾性板２２と、重さが６．０ｇ，１１．５ｇ，２３．５ｇ，４８．０ｇ，９２．０ｇの５種類ウェイトとの組み合わせによる９０種類の試料１２０とした。そして、図１８に示すように、自然状態における弾性板２２の左右のアームの撓み量ａをｍｍ単位で測定し、その数値を弾性板２２のアームの長さｂに対する割合、すなわち撓み率として表３に記した。そして、これらの各種の試料１２０を前記と同様に１０名の被験者によって体感試験を行ない、その結果を前記表２と同様に表４において４段階にランク付けした。
【００４４】
【表３】
2015221191.tif 000005
【００４５】
【表４】
2015221191.tif 000006
従って、アームの静止状態における撓み率が４．８％を超える試料１２０である場合に使用者はアームを共振させることができる。撓み率が８．１％を超える試料１２０である場合にアームを共振させやすくなって、好ましい。撓み率が１５．０％を超える試料１２０である場合にアームを特に共振させやすくなって、さらに好ましい。また、撓み率が８．３％未満である場合に共振しにくいものの、共振させることができる。撓み率が１５．２％未満である場合に共振させやすくなって好ましい。撓み率が６０．８％未満である場合に特に共振させやすくなって、さらに好ましい。
【００４６】
別の観点からみれば、撓み率が５．０％〜６０．８％の場合に共振させることができる。さらに、詳細には撓み率が５．０％〜８．１％の場合に共振させることができ、撓み率が８．３％〜６０．８％の場合に容易に共振させることができ、８．３％〜１５．０％及び４８．８％未満〜６０．８％の場合に共振させやすく、１５．２％〜４８．８％の場合に特に共振させやすいという結果が示された。前記のように、撓み率が６０．８％の場合には共振させやすいものの、撓み率がこの６０．８％を大きく超えれば、マウスピース４１の動きが弾性板２２に伝わりにくくなって、共振させにくいことが推測される。撓み率が１５．１％〜６０％の場合にも容易に共振させやすい。撓み率が８．２％〜６０．０％の場合にも共振させやすい。さらに、撓み率が４．９％〜６０．０％の場合にも共振させることができる。
【００４７】
表５においては、前記と同様に厚さが０．６ｍｍ，０．８ｍｍ，１．０ｍｍの３種類、全長が４００ｍｍ，５００ｍｍ，６００ｍｍ，７００ｍｍ，８００ｍｍ，１０００ｍｍの６種類の合計１８種類の弾性板２２と、重さが６．０ｇ，１１．５ｇ，２３．５ｇ，４８．０ｇ，９２．０ｇの５種類のウェイトとの組み合わせによる９０種類の試料１２０とした。そして、図２０（ｂ）に示すように、弾性板２２の突出部２２３を振動試験機１０３により上下から挟持して、その振動試験機１０３により前記表１の場合と同条件で弾性板２２を上下に振動させる。このとき、試料１２０に作用する最大負荷を歪みセンサ１０４より検出した。歪みセンサとしては、株式会社東京測器研究所の製品名Ｓｔｒａｉｎ  Ｇａｕｇｅｓ  ＴＹＰＥ：ＦＬＡ−５−１１−３Ｌが用いられた。ちなみに、試料１２０に作用する負荷は、弾性板２２及びウェイトの荷重と、弾性板２２の反発力と、振動によって付加される加速度とに左右される。そして、試験機１０３は静止状態における歪みセンサ１０４の出力を基準値であるゼロに設定し、歪みセンサ１０４で検出される弾性板２２の歪み量から弾性板２２の突出部２２３に加わる負荷が計測される。さらに弾性板２２にかかる重力の作用分を加え、このようにして算出された負荷の最大値が表５に記されている。そして、各試料１２０を用いて、前記と同様に１０名の被験者によって体感試験が行なわれ、その結果を、共振させることができない（ランク３）、共振させにくいが、可能である（ランク２）、共振させやすい（ランク１）の３段階にランク付けした。表６は、そのランキングを示すものである。
【００４８】
【表５】
2015221191.tif 000007
【００４９】
【表６】
2015221191.tif 000008
その結果、負荷が７．４Ｎ未満でアームが共振される試料１２０の場合に使用者はアームを共振させることができ、負荷が３．９Ｎ未満でアームが共振される試料１２０の場合に特に共振させやすい。なお、負荷が１．５Ｎ未満でアームが共振される試料１２０の場合も共振させやすいことは推測できる。
【００５０】
別の観点から見れば、またマウスピース４１にかかる負荷が３．９Ｎ〜７．１Ｎの範囲内でアームが共振される試料１２０である場合に使用者は共振させることができ、同負荷が１．５Ｎ〜３．８Ｎの範囲内でアームが共振される試料１２０である場合に特に共振させやすい。負荷が１．５Ｎ〜３．８５Ｎの範囲内でアームが共振される試料１２０である場合にも共振させることができる。負荷が１．５Ｎ未満の場合にはアームを共振させることができるが、負荷量が少なく、運動効果が少ない。
【００５１】
従って、顔面筋鍛錬具２１のアーム３１の長さ、ウェイト３０の重さ等の各種の条件を任意に設定すれば、表１〜表６に記された各種の挙動を表す顔面筋鍛錬具２１が具体化される。このような顔面筋鍛錬具２１は、前記検証結果と同様な作用を得ることができる。
【００５２】
なお、表７には、前記各種試験で用いられた弾性板２２であって、厚さが０．６ｍｍ，０．８ｍｍ，１．０ｍｍの３種類、全長が３００ｍｍ，４００ｍｍ，５００ｍｍ，６００ｍｍ，７００ｍｍ，８００ｍｍ，１０００ｍｍの７種類の合計２１種類の弾性板２２のばね定数（ｇ／ｍｍ）が記載されている。表７から明らかなように、最も低いばね定数は、０．２３ｇ／ｍｍで、最も高いばね定数は、３９．３５ｇ／ｍｍである。これらのばね定数に限定されず、任意のばね定数を設定することが可能である。そして、表７のばね定数や任意のばね定数の弾性板２２を用いて顔面筋鍛錬具を具体化することが可能である。任意のばね定数は、表７のばね定数の各数値間を埋める数値のばね定数や、表７の最大ばね定数の値を超える値のばね定数または最小のばね定数の値未満の値のばね定数である。
【００５３】
【表７】
2015221191.tif 000009
ところで、年齢が２０〜７０代の男女６７名を対象に本実施形態の顔面筋鍛錬具２１を用いて１回３０秒ずつ毎日２回を８週間連続で使用して、その効果を検証した。その検証の条件と結果が図２１〜図２６に示されている。検証に使用した顔面筋鍛錬具２１は、ウェイト３０を除いた顔面筋鍛錬具２１の本体，すなわち、弾性板２２，被覆２３，コア２７及びマウスピース２８で構成される本体の重量が１２０ｇ，全長が５４０ｍｍ，弾性板２２の長さが３８０ｍｍで厚さが０．６ｍｍ，熱可塑性ポリウレタンの被覆２３の厚さが平均６ｍｍ，ウェイト３０の重さが１８ｇ，２３ｇ，２８ｇのいずれかのものである。そして、検証試験前，つまり使用前と、検証試験終了後，つまり使用後に被験者の顔を撮影し、その写真画像を２次元皮膚表面解析ソフトウェアであるアメリカのＣａｎｆｉｅｌｄ  Ｓｃｉｅｎｔｉｆｉｃ社製の商標名「Ｍｉｒｒｏｒ」を用いて検証試験前後の変化の状態を計測し、その結果をグラフ化した。
【００５４】
図２１（ａ）（ｂ）及び図２２は、被験者の口角の挙上を検証したものである。すなわち、使用前、使用後の写真において、６７名の被験者の口角と目尻との間の距離１０６を測定し、使用前、使用後の距離１０６の変化を算出した。そして、６７名の使用前及び使用後の算出結果をそれぞれ平均し、図２２においてグラフ化した。図２２から明らかなように、使用後は使用前に対して、前記距離１０６が平均で約０．６ｍｍ短くなって口角が挙上し、鍛錬効果が認められた。
【００５５】
図２３（ａ）（ｂ）及び図２４は頬部の挙上を検証したものである。すなわち、６７名の使用前、使用後の横顔写真において、耳の珠間切痕を通る水平線１０７と、口角を通る水平線１０８とを設定するとともに、両水平線１０７，１０８の間において珠間切痕を起点１０９とした頬の輪郭上の最長点１１０を決定し、起点１０９から最長点１１０までの距離について、使用前、使用後の状態を測定した。ただし、珠間切痕や頬の輪郭部が不明瞭な９名は検証対象から除外し、５８名のデータを平均化した。この場合、鍛錬の結果、最長点１１０の位置は上方に移動される。そして、６７名の使用前、使用後の変化を算出し、図２３においてグラフ化した。図２３から明らかなように、使用後は使用前に対して、前記距離が平均約０．７ｍｍ短くなり、鍛錬効果が認められた。
【００５６】
図２５（ａ）（ｂ）及び図２６は、フェイスラインの引き締め効果を検証したものである。すなわち、６７名の使用前、使用後の正面写真において、鼻翼脚の付け根部を通る水平線１１１を設定するとともに、その水平線１１１の下側の顔の輪郭１１２を設定する。そして、使用前及び使用後における前記水平線１１１と輪郭１１２との間の面積を算出するとともに、その変化を算出し、図２６においてグラフ化した。ただし、この場合は、顔の輪郭１１２が不明瞭な１１名の写真は検証対象から除外し、５６名のデータを平均化した。図２６から明らかなように、使用前は使用後に対して平均約０．７平方センチメートルの面積減少が認められた。
【００５７】
以上のように、顔面筋鍛錬具２１を使用することにより、顔の各部の寸法が短くなって、若返り効果が認められる。
（他の実施形態）
次に、本発明の他の実施形態を前記の実施形態と異なる部分を中心に説明する。
【００５８】
図１９に示す実施形態は、前記実施形態におけるウェイト３０を省略したものである。そして、弾性板２２の両端部に大面積部１２２が形成されて、この大面積部１２２によりウェイト３０に代えた荷重機能が持たせられている。この構成の場合、図示はしないが弾性板２２の貫通孔２２２やブッシュ２６が設けられ、ブッシュ２６は大面積部１２２の先端部に設けることが好ましい。
【００５９】
図１９の実施形態においては、部品点数が少なくなって、構成が簡易化される。
（変更例）
なお、前記実施形態は以下のように変更して具体化することも可能である。
【００６０】
・弾性板２２を被覆する被覆２３を設けることなく、弾性板２２をむき出し状態にするとともに、ウェイト部２５を構成するウェイト３０を弾性板２２に直接固定すること。この場合、ウェイト３０の固定は、ネジを用いたり、ウェイト３０に形成した突起を弾性板２２の孔に嵌合したりすることによって行なわれる。また、ウェイト３０は、弾性板２２の端部を所要重量となるように巻回したり、折り曲げて多重化したり、あるいは大面積にしたりすることによって構成してもよい。
【００６１】
・弾性板２２の材質を鋼板に代えて、カーボンファイバ、ＦＲＰ（ガラス繊維強化プラスチック）等の他の材質に変更すること。
・弾性板２２の被覆２３を省略すること。
【００６２】
・図１に２点鎖線で示すように、保持孔２９の近傍における弾性板２２の両端位置に緩和部材３２を設けること。この緩和部材３２は被覆２３より硬質の合成樹脂よりなり、被覆２３の表面と連続する表面を有するように被覆２３に埋設されている。また、この緩和部材３２の内側面に突出された図示しないピンが弾性板２２の両端の小孔２２４に嵌合されて緩和部材３２が固定される。緩和部材３２は、弾性板２２の両端に作用する集中応力を緩和して、被覆２３の亀裂等を防止する。
【００６３】
・弾性板２２の被覆２３として、弾性板２２の表裏の片面あるいは両面に合成樹脂板を貼着したり、表裏の片面あるいは両面に合成樹脂をシート状に射出したり、あるいは弾性板２２にテープを巻き回したりすること。
【００６４】
（他の技術的思想）
前記実施形態から把握される技術的思想を以下に列挙する。
（Ａ）前記弾性変形部の両端部にウェイトが設けられた請求項１に記載の顔面筋鍛錬具。
【００６５】
（Ｂ）前記撓み率が８．１パーセント超である請求項１に記載の顔面筋鍛錬具。
（Ｃ）前記撓み率が１５．０パーセント超である請求項１に記載の顔面筋鍛錬具。
（Ｄ）前記撓み率が６０．８パーセント以下である請求項１に記載の顔面筋鍛錬具。
【００６６】
（Ｅ）前記撓み率が６０．８パーセント未満である請求項１に記載の顔面鍛筋錬具。
（Ｆ）前記撓み率が４８．８パーセント以下である請求項１に記載の顔面筋鍛錬具。
（Ｇ）前記撓み率が１５．２パーセント未満である請求項１に記載の顔面筋鍛錬具。
【００６７】
（Ｈ）前記撓み率が８．３パーセント以下である請求項１に記載の顔面筋鍛錬具。
（Ｉ）前記撓み率が５．０〜６０．８パーセントの範囲内である請求項１に記載の顔面筋鍛錬具。
【００６８】
（Ｊ）前記撓み率が５．０〜８．１パーセントの範囲内である請求項１に記載の顔面筋鍛錬具。
（Ｋ）前記撓み率が８．３〜１５．０パーセントの範囲内である請求項１に記載の顔面筋鍛錬具。
【００６９】
（Ｌ）前記撓み率が１５．２〜４８．８パーセントの範囲内である請求項１に記載の顔面筋鍛錬具。
（Ｍ）撓み率が５．０〜１５．０パーセントの範囲内である請求項１に記載の顔面筋鍛錬具。
【００７０】
（Ｎ）撓み率が８．３〜４８.８パーセントの範囲内である請求項１に記載の顔面筋鍛錬具。
（Ｏ）撓み率が８．３〜６０.８パーセントの範囲内である請求項１に記載の顔面筋鍛錬具。
【００７１】
（Ｐ）撓み率が４８．８〜６０．８パーセントの範囲内である請求項１に記載の顔面筋鍛錬具。
（Ｑ）撓み率が１５．１〜６０．０パーセントの範囲内である請求項１に記載の顔面筋鍛錬具。
【００７２】
（Ｒ）撓み率が８．２〜６０．０パーセントの範囲内である請求項１に記載の顔面筋鍛錬具。
（Ｓ）撓み率が４．９〜６０．０パーセントの範囲内である請求項１に記載の顔面筋鍛錬具。
【符号の説明】
【００７３】
２１…顔面筋鍛錬具、２２…弾性板、２４…銜持部、２５…ウェイト部、３１…アーム。
【図１】
2015221191.tif 000010
【図２】
2015221191.tif 000011
【図３】
2015221191.tif 000012
【図４】
2015221191.tif 000013
【図５】
2015221191.tif 000014
【図６】
2015221191.tif 000015
【図７】
2015221191.tif 000016
【図８】
2015221191.tif 000017
【図９】
2015221191.tif 000018
【図１０】
2015221191.tif 000019
【図１１】
2015221191.tif 000020
【図１２】
2015221191.tif 000021
【図１３】
2015221191.tif 000022
【図１４】
2015221191.tif 000023
【図１５】
2015221191.tif 000024
【図１６】
2015221191.tif 000025
【図１７】
2015221191.tif 000026
【図１８】
2015221191.tif 000027
【図１９】
2015221191.tif 000028
【図２０】
2015221191.tif 000029
【図２１】
2015221191.tif 000030
【図２２】
2015221191.tif 000031
【図２３】
2015221191.tif 000032
【図２４】
2015221191.tif 000033
【図２５】
2015221191.tif 000034
【図２６】
2015221191.tif 000035